(57)【要約】【課題】間仕切り壁の下部、敷居の下部および際根太下部の束材間における断熱欠損をなくして断熱性能の高い床構造を提供することである。【解決手段】床構造１は、スラブ３の上面に熱可塑性発泡樹脂からなる床下地材４が密接状に敷き詰められるとともに、該床下地材４の上面には仕上板７が敷き詰められて二重床が形成され、該二重床における際根太９または間仕切り壁２または敷居２０が断熱ボード１２、１８、２１を介してスラブ３の上面に設置されたことである。【選択図】図１
2007197921.tif 000002
【特許請求の範囲】
【請求項１】
スラブの上面に熱可塑性発泡樹脂からなる床下地材が密接状に敷き詰められるとともに、該床下地材の上面には仕上板が敷き詰められて二重床が形成され、該二重床における際根太または間仕切り壁または敷居が断熱ボードを介してスラブの上面に設置されたことを特徴とする床構造。
【請求項２】
間仕切り壁における断熱ボードの横幅が間仕切り壁の横幅よりも際根太を載せる分だけ広く形成され、この広く形成された部分の両端隅部および両側部に束材を嵌め込む切欠部が設けられたことを特徴とする請求項１に記載の床構造。
【請求項３】
際根太における断熱ボードは床下地材の下部に形成された突出部が際根太下部の束材間に嵌め込まれてなることを特徴とする請求項１に記載の床構造。
【発明の詳細な説明】
【技術分野】
【０００１】
本発明は床構造に関するものである。
【背景技術】
【０００２】
従来の集合住宅の各住戸における床構造として、いわゆる二重床が構築されている。この二重床は、スラブの上面に熱可塑性発泡樹脂からなる床下地材が密接状に敷き詰められるとともに、該床下地材の上面に仕上板が敷き詰められて形成されている。また、その他の床構造としては、例えば特開平１０−３３１４０１号公報の発明が知られている。
【特許文献１】特開平１０−３３１４０１号公報
【発明の開示】
【発明が解決しようとする課題】
【０００３】
しかし、上記のような床構造は、図８に示すように、間仕切り壁２３の下部、敷居２４の下部および際根太２５下部の束材２６間が空隙部２７になって断熱欠損が生じていたため、断熱性能の高い床構造とすることができなかった。
【０００４】
本願発明は上記のような問題に鑑みてなされたものであり、その目的は、間仕切り壁の下部、敷居の下部および際根太下部の束材間における断熱欠損をなくして断熱性能の良い床構造を提供することである。
【課題を解決するための手段】
【０００５】
本願発明の床構造は、スラブの上面に熱可塑性発泡樹脂からなる床下地材が密接状に敷き詰められるとともに、該床下地材の上面には仕上板が敷き詰められた二重床が形成され、該二重床における際根太または間仕切り壁または敷居が断熱ボードを介してスラブの上面に設置されたことを特徴とする。また間仕切り壁における断熱ボードは横幅が間仕切り壁の横幅よりも際根太を載せる分だけ広く形成され、この広く形成され部分の両端隅部および両側部に束材を嵌め込む切欠部が設けられたことを含む。また際根太における断熱ボードは床下地材下部に形成された突出部が際根太下部の束材間に嵌め込まれてなることを含むものである。
【発明の効果】
【０００６】
スラブの上面に熱可塑性発泡樹脂からなる床下地材が密接状に敷き詰めらてなる二重床における際根太または間仕切り壁または敷居が断熱ボードを介してスラブ上面に設置されたことにより、際根太の下部における空隙部、間仕切り壁の下部における空隙部、敷居の下部における空隙部がそれぞれ断熱ボードで塞がれたため、断面欠損部がなくなり断熱性能の高い床構造とすることができる。また間仕切り壁における断熱ボードの横幅が間仕切り壁の横幅よりも際根太を載せる分だけ広く形成され、この広く形成された部分の両端隅部および両側部の切欠部に束材が嵌め込まれたことにより、断熱ボードと床下地材とが密接されて断熱効果が高まる。また際根太における断熱ボードは床下地材下部の突出部が断熱ボードとして際根太下部の束材間に嵌め込まれたことにより、断熱ボードと床下地材とが密接されて断熱効果が高まる。
【発明を実施するための最良の形態】
【０００７】
以下、本願発明の床構造の実施の形態を図面により説明する。また各実施の形態において同じ構成は同じ符号を付して説明し、異なった構成にのみ異なった符号を付して説明する。この床構造はいわゆるマンションなどの共同住宅の床面に熱可塑性発泡樹脂からなる床下地材を設置して形成した二重床である。
【０００８】
図１は第１の実施の形態の床構造１である。この床構造１は間仕切り壁２が設けられたものであり、スラブ３の上面に熱可塑性発泡樹脂からなる床下地材４をモルタルダンゴなどの不陸調整材５を介して密接状に設置して下床６が形成され、この下床６上に仕上板７が敷き詰めれられて構成されている。また壁面８に沿った際根太９の下部、すなわち束材１０間には、（２）に示すように、床下地材４の下部に形成された突出部１１が断熱ボード１２として嵌め込まれ、該突出部１１の切欠部１３には際根太９を支持する束材１０が嵌め込まれている。したがって、際根太９下部の空隙部１４が突出部１１で塞がれているため断熱欠損が解消される。
【０００９】
一方、間仕切り壁２はスラブ３の上面に設置した断熱ボード１５上に形成され、該断熱ボード１５の上面に設置された根太１６に壁板１７が取り付けられて構成されている。この断熱ボード１５は床下地材４と同じ熱可塑性発泡樹脂で形成され、横幅が間仕切り壁２の横幅よりも広く、この広く形成された部分に際根太９が載置されるとともに、広く形成された部分の両端隅部および両側部には切欠部１３が形成され、該切欠部１３に束材１０が嵌め込まれて際根太９を支持している。このように断熱ボード１５が間仕切り壁２下部の空隙部１４を塞ぎ、かつ床下地材４と密接しているため断熱欠損が解消される。
【００１０】
また図４は上記とは異なった断熱ボード１８で際根太９下部の空隙部１４を塞いだものであり、単なる長方形の断熱ボード１８を際根太９下部の束材１０間に嵌め込んだものである。上記のように床下地材４の突出部１１に代わって、この断熱ボード１２で空隙部１４を塞ぐこともできる。
【００１１】
図６および図７は、第２の実施の形態の床構造１９である。この床構造１９は間仕切り壁２に代わって敷居２０が形成されたものであり、これ以外は第１の実施の形態の床構造１と同じ構成である。この敷居２０も断熱ボード２１を介してスラブ３の上面に設置され、同じ幅の断熱ボード２１の上面に敷居２０が設置されている。したがって、この場合も上記と同様に断熱ボード２１で敷居２０の下部における空隙部１４が塞がれるとともに、この断熱ボード２１と床下地材４とが密接されるため断熱欠損が解消される。
【００１２】
また間仕切り壁２と敷居２０とが同時に形成された床構造（図示せず）であっても、上記と同じような床構造となり、断面欠損部が塞がれて断熱性能が高められる。
【図面の簡単な説明】
【００１３】
【図１】第１の実施の形態の床構造であり、（１）は斜視図、（２）は際根太下部の断熱ボードの斜視図、（３）は間仕切り壁下部の断熱ボードの斜視図である。
【図２】第１の実施の形態の床構造の断面図である。
【図３】第１の実施の形態の床構造における際根太の断面図である。
【図４】他の床構造であり、（１）および（２）は際根太が設置された箇所の斜視図、（３）は断熱ボードの斜視図である。
【図５】際根太が設置された箇所の断面図である。
【図６】第２の実施の形態の床構造の断面図である。
【図７】第２の実施の形態の床構造であり、（１）は敷居の斜視図、（２）は断熱ボードの斜視図である。
【図８】従来の床構造であり、（１）は間仕切り壁の断面図、（２）は敷居が設置された箇所の断面図、（３）は際根太が設置された箇所の断面図である。
【符号の説明】
【００１４】
１、１９  床構造
２、２３  間仕切り壁
３  スラブ
４  床下地材
５  不陸調整材
６  下床
７  仕上板
８  壁面
９、２５  際根太
１０、２６  束材
１１  突出部
１２、１５、１８、２１  断熱ボード
１３  切欠部
１４、２７  空隙部
１６  根太
１７  壁板
【図１】
2007197921.tif 000003
【図２】
2007197921.tif 000004
【図３】
2007197921.tif 000005
【図４】
2007197921.tif 000006
【図５】
2007197921.tif 000007
【図６】
2007197921.tif 000008
【図７】
2007197921.tif 000009
【図８】
2007197921.tif 000010